(57)【要約】      （修正有）【課題】浴槽と側壁の間のスペースから洗い場側へ引き出す際に側壁から突出する突出物に干渉しにくい浴室用脚付台を提供する。【解決手段】浴室用脚付台１００は、浴槽Ａ１と、浴槽Ａ１の前側に隣接する洗い場Ａ２と、浴槽Ａ１及び洗い場Ａ２に側方から対面する側壁Ａ３と、側壁Ａ３から洗い場Ａ２へ突出する突出物Ａ４と、浴槽Ａ１と側壁Ａ３の間に設けられるサイドスペースＡ６とを有する浴室ＡのサイドスペースＡ６に設置される。浴室用脚付台１００は、矩形の座板１と、座板１を支持するとともに水平投影で座板１の４隅に床当接部を有する４本の棒状又は管状の支持脚２とを備え、支持脚２は、少なくとも上端部に水平投影で座板１の幅方向に垂直な端辺から内側に５０ｍｍ以上入り込んだ回避部２２を有する。【選択図】図３
2016202224.tif 000002
【特許請求の範囲】
【請求項１】
浴槽と、前記浴槽の前側に隣接する洗い場と、前記浴槽及び前記洗い場に側方から対面する側壁と、前記側壁から前記洗い場へ突出する突出物と、前記浴槽と前記側壁の間に設けられるサイドスペースとを有する浴室の前記サイドスペースに設置される浴室用脚付台であって、
矩形の座板と、
前記座板を支持するとともに水平投影で前記座板の４隅に床当接部を有する４本の棒状又は管状の支持脚とを備え、
前記支持脚は、少なくとも上端部に水平投影で前記座板の幅方向に垂直な端辺から内側に入り込んだ回避部を有することを特徴とする浴室用脚付台。
【請求項２】
前記回避部は、水平投影で前記座板の幅方向に垂直な端辺から内側に５０ｍｍ以上入り込んでいる請求項１に記載の浴室用脚付台。
【請求項３】
前記支持脚は、前記床当接部が、水平投影で前記座板の幅方向に平行な一端辺から５０ｍｍ未満の距離に設けられている請求項１又は請求項２に記載の浴室用脚付台。
【請求項４】
前記幅方向に隣り合う２本の支持脚を連結する横貫部材を有し、前記横貫部材の少なくとも中央部が床面から１００ｍｍ以上の高さを有するか、又は水平投影で前記座板の幅方向に平行な一端縁から１５０ｍｍ以上内側に設けられている請求項１から請求項３に記載の浴室用脚付台。
【請求項５】
前記支持脚に支持されるとともに前記座板を載置して支持する矩形の板状又は矩形の外枠を有する格子状の支持棚を備え、
前記座板は、前記支持棚に対し取外し可能に設けられている請求項１から請求項４のいずれか１項に記載の浴室用脚付台。
【請求項６】
前記座板は、端辺に上面から下方へ折り返す垂下部と、前記垂下部の下端から内方へ折り返す係止部とを備え、前記係止部を前記支持棚端辺の下面へ掛止するよう構成されている請求項５に記載の浴室用脚付台。
【請求項７】
前記支持棚は、矩形の外枠を有する格子状に形成されるとともに矩形の透孔を有し、
前記座板は、下面から下方へ突出し、前記矩形の透孔に嵌合する嵌合用突起を有する請求項５に記載の浴室用脚付台。
【請求項８】
前記座板の周縁部において前記座板及び前記支持棚の合計の厚みが２５ｍｍ以上５０ｍｍ以下であり、前記座板及び前記支持棚周縁部の外部に露出した水平方向に延びるコーナー部のＲが３ｍｍ以上に形成されている請求項６又は請求項７に記載の浴室用脚付台。
【請求項９】
浴槽と、前記浴槽の前側に隣接する洗い場と、前記浴槽及び前記洗い場に側方から対面する側壁と、前記側壁から前記洗い場へ突出する突出物と、前記浴槽と前記側壁の間に設けられるサイドスペースと、請求項１から請求項８の何れか１項に記載の浴室用脚付台とを備える脚付台付浴室。
【発明の詳細な説明】
【技術分野】
【０００１】
この発明は、浴槽と浴室側壁の間のスペースの手前に側壁から突出する湯桶台や水栓等の突出物を有する浴室の当該スペースに設置される浴室用脚付台と、このような脚付台を備えた浴室に関する。
【背景技術】
【０００２】
従来、介護用のユニットバス等では、浴槽と浴室側壁の間のスペースに設置する脚付台が広く用いられている。この脚付台は、例えば、腰を掛けて体の向きを変えることで浴槽へ入ることを補助するいわゆる移乗台として用いられている（例えば、特許文献１）。
【０００３】
かかる脚付台は、天板に支持脚を備え、この浴槽横のスペースの床面に載置され、当該スペースへ介護者が入る際等には、手前側の洗い場へ引き出すようにして移動する。
【先行技術文献】
【特許文献】
【０００４】
【特許文献１】特開２０１４−５１８８０号公報
【発明の概要】
【発明が解決しようとする課題】
【０００５】
しかし、特許文献１のような移乗台は、図１４に示すように、湯桶台や水栓の設けられる側壁Ａ３と浴槽Ａ１の間に設置されているため、移乗台９００を引き出す際に脚部９０２が湯桶台Ａ４等に干渉して移乗台９００を引き出しにくいという問題がある。
本発明は、上記課題に鑑みてなされたものであり、洗い場側へ引き出す際に湯桶台や水栓等の突出物に干渉しにくい浴室用脚付台の提供を目的とする。
【課題を解決するための手段】
【０００６】
上記課題を解決するためになされた発明は、浴槽と、前記浴槽の前側に隣接する洗い場と、前記浴槽及び前記洗い場に側方から対面する側壁と、前記側壁から前記洗い場へ突出する突出物と、前記浴槽と前記側壁の間に設けられるサイドスペースとを有する浴室の前記サイドスペースに設置される浴室用脚付台であって、矩形の座板と、前記座板を支持するとともに水平投影で前記座板の４隅に床当接部を有する４本の棒状又は管状の支持脚とを備え、前記支持脚は、少なくとも上端部に水平投影で前記座板の幅方向に垂直な端辺から内側に入り込んだ回避部を有することを特徴とする。
尚、ここで「突出物」とは、側壁から洗い場へ突出する部材であって、脚付台をサイドスペースから持ち上げずに引き出した際に、脚付台をサイドスペースから完全に引き出す前に、座板や支持脚と干渉するものをいう。「４本」とは、例えば、１本の棒材をＵ字に折り曲げて、その両端を２本の支持脚とした場合のように、４本の支持脚のうち複数本が上端側で一体的に連続している場合も含むものとする。また、「幅方向」とは、当該浴室用脚付台を側壁に密着するようにしてサイドスペースに設置した際に、側壁に垂直な方向を言うものとする。
【０００７】
本発明に係る脚付台では、このように、４本の支持脚の少なくとも上端部に、平面視で座板の幅方向に垂直な端辺から内側へ入った回避部を設けたので、浴槽横のサイドスペースから洗い場側へ引き出す際に、湯桶台や水栓等の突出物を座板と回避部の間の空間に通すようにして引き出すことができ、突出物に脚付台が干渉することを抑制できる。
【０００８】
前記回避部は、水平投影で前記座板の幅方向に垂直な端辺から内側に５０ｍｍ以上入り込んでいることが好ましい。こうすることで、より突出物に脚付台が干渉することを抑制できる。
【０００９】
また、前記支持脚は、前記床当接部が、水平投影で前記座板の幅方向に平行な一端辺から５０ｍｍ未満の距離に設けられていることが好ましい。こうすることで、当該端辺に上方から荷重を加えた際に、脚付台の反対側が持ち上がることを抑制できる。
【００１０】
本発明の浴室用脚付台は、前記幅方向に隣り合う２本の支持脚を連結する横貫部材を有し、前記横貫部材の少なくとも中央部が床面から１００ｍｍ以上の高さを有するか、又は水平投影で前記座板の端縁から１５０ｍｍ以上内側に設けられていることが好ましい。こうすることで、脚付台付近で作業をする際に横貫部材に足のつま先が当たったり、脚付台に座った際に横貫部材にかかとが当たったりすることを抑制できる。
【００１１】
本発明の浴室用脚付台は、前記支持脚に支持されるとともに前記座板を載置して支持する矩形の板状又は矩形の外枠を有する格子状の支持棚を備え、前記座板は、前記支持棚に対し取外し可能に設けられていることが好ましい。こうすることで、汚れの付きやすい座板のみを清掃して乾燥させることができ、また、汚れや傷みが酷い場合等には、座板のみを交換することができる。
【００１２】
本発明は、前記座板が、端辺に上面から下方へ折り返す垂下部と、前記垂下部の下端から内方へ折り返す係止部とを備え、前記係止部を前記支持棚端辺の下面へ掛止するよう構成されている浴室用脚付台を含み、また、前記支持棚が、矩形の外枠を有する格子状に形成されるとともに矩形の透孔を有し、前記座板は、下面から下方へ突出し、前記矩形の透孔に嵌合する嵌合用突起を有する浴室用脚付台を含む。
このような構造により座板を支持棚に対し着脱可能とすることで、座板を繰り返し着脱することによる座板の劣化を抑制できる。
【００１３】
前記座板の周縁部において前記座板及び前記支持棚の合計の厚みが２５ｍｍ以上５０ｍｍ以下であり、前記座板及び前記支持棚周縁部の外部に露出した水平方向に延びるコーナー部のＲが３ｍｍ以上に形成されていることが好ましい。座板の端辺において座板の厚みを２５ｍｍ以上５０ｍｍ以下とすることで、座板の端辺を掴みやすくできる。また、座板や支持板周縁部の外部に露出した水平方向に延びるコーナー部のＲを３ｍｍ以上とすることで、座板の周縁部を安全に掴むことができる。
【００１４】
本発明は、浴槽と、前記浴槽の前側に隣接する洗い場と、前記浴槽及び前記洗い場に側方から対面する側壁と、前記側壁から前記洗い場へ突出する突出物と、前記浴槽と前記側壁の間に設けられるサイドスペースと、上記何れかの浴室用脚付台とを備える浴室を含む。
【発明の効果】
【００１５】
以上説明したように、本発明の浴室用脚付台、及び脚付台を備える浴室によれば、浴槽横のサイドスペースから洗い場側へ引き出す際に、側壁から突出する湯桶台や水栓等の突出物に脚付台が干渉することを抑制できる。
【図面の簡単な説明】
【００１６】
【図１】本発明の第１実施形態に係る浴室用脚付台の斜視図である。
【図２】図１の浴室用脚付台を浴槽横のサイドスペースに設置した様子を示す斜視図である。
【図３】図１の脚付台をサイドスペースから引き出す様子を示した斜視図である。
【図４】図１の浴室用脚付台の座板を外した様子を示す斜視図である。
【図５】図１の浴室用脚付台の座板、及び支持棚を下方から見た斜視図である。
【図６】図１の浴室用脚付台の支持脚における床当接部、及び回避部の鉛直部と座板端辺との位置関係を示した平面図である。
【図７】図６におけるＡ−Ａ線断面図である。
【図８】図６におけるＢ−Ｂ線断面図である。
【図９】図８におけるＣ−Ｃ部の拡大断面図である。
【図１０】本発明の第２実施形態に係る浴室用脚付台の斜視図である。
【図１１】図１０の浴室用脚付台の平面図である。
【図１２】図１０の浴室用脚付台の側面図である。
【図１３】図１２におけるＤ−Ｄ線断面図である。
【図１４】従来の脚付台をサイドスペースから手前の洗い場側へ引き出す様子を示した斜視図である。
【発明を実施するための形態】
【００１７】
以下、適宜図面を用いながら本発明の実施形態について詳述する。ただし、本発明は、以下の実施形態に限定されるものではない。
【００１８】
（第１実施形態）
図１は、本発明の第１実施形態に係る浴室用脚付台１００を示している。浴室用脚付台１００は、矩形の座板１と座板１を支持する４本の棒状の支持脚２とを主に備え、図２に示したような浴室Ａに設置される。
【００１９】
浴室Ａは、後壁Ａ７に接して設けられる浴槽Ａ１と、浴槽Ａ１の手前側に隣接する洗い場Ａ２と、浴槽Ａ１及び洗い場Ａ２に右側方から対面する側壁Ａ３と、側壁Ａ３から洗い場へ突出する湯桶台Ａ４、及び水栓Ａ５と、浴槽Ａ１と側壁Ａ３の間に設けられるサイドスペースＡ６とを有している。サイドスペースＡ６は、平面視で矩形をなし、洗い場Ａ２から床面が連続している。浴室用脚付台１００は、このサイドスペースＡ６の床面に載置される。湯桶台Ａ４は、基台Ａ４１を備え、跳ね上げて収納できるよう構成されている。湯桶台Ａ４の壁面Ａ３からの突出高さは、水平姿勢で略３００ｍｍ、跳ね上げ姿勢で５０ｍｍ未満、基台Ａ４１の側壁Ａ３からの突出高さは１００ｍｍ未満であり、脚付台１を持ち上げずに真っ直ぐ手前へ引き出すと、脚付台１００の全長をサイドスペースＡ６から引き出す前に、座板１が、水平、跳ね上げいずれの姿勢の湯桶台Ａ４にも干渉し、支持脚２は、基台４１に干渉する。本実施形態では、この湯桶台Ａ４と基台Ａ４１が突出物に該当する。
【００２０】
座板１は、半硬質性の発泡樹脂からなるクッション材を軟質樹脂製のシート材で被覆して矩形の板状に形成され、平面視でサイドスペースＡ６を概ね隙間なく埋める形状・寸法を有している。座板１は、図９に示すように、上面１４の端縁から下方へ折り返す垂下部１１と、垂下部１１の下端から内方へ折り返す係止部１２とが全周に渡って設けられ、座板１の下面には、下方へ突出する底面視矩形の嵌合用突起１３が設けられている。
【００２１】
座板１は、周縁部における厚みＴ（図９参照）が２５ｍｍ以上５０ｍｍ以下（一例で４０ｍｍ）に設けられ、垂下部１１の上下の端縁をなす水平方向に延びるコーナー部１１ａ，１１ｂ（図９参照）のＲ１，Ｒ２が３ｍｍ以上（一例でＲ１が１０ｍｍ、Ｒ２が５ｍｍ）に形成されている。
【００２２】
支持脚２は、金属製、又は樹脂製の棒材又は管材により形成され、座板１の４隅から下方へ延出するよう設けられる支持脚本体２０と、支持脚本体２０の下端部に抜け落ち不能に螺設された高さ調節部材２１とを備えており、この高さ調節部材２１の下端が床に当接する床当接部２１ａを構成している。支持脚本体２０は、下端近傍で平面視における座板１の内方へと傾斜する傾斜部２２ｂと、傾斜部２２ｂの上端から垂直に立ち上がる鉛直部２２ａとからなる回避部２２を備えている。
【００２３】
支持脚２の床当接部２１ａは、図６に示すように、水平投影で、座板１の短辺（座板１の幅方向に平行な端辺）からの距離Ｌ１と長辺（座板１の幅方向に垂直な端辺）からの距離Ｌ２が共に５０ｍｍとなる区画内に配設され、また、支持脚２の回避部２２のうち水平投影で最も座板１の内側へ入った鉛直部２２ａは、座板１の短辺からの距離Ｄ１（図８参照）と長辺からの距離Ｄ２（図７参照）とが共に５０ｍｍ以上の距離（一例でＤ１が７０ｍｍ、Ｄ２が６０ｍｍ）に配設されている。
【００２４】
また、支持脚２は、図１に示すように、座板１の短辺方向に隣り合う２本の支持脚２を連結する横貫部材２３と、一対の横貫部材２３を互いの中央部分で連結する縦貫部材２４とを備えている。横貫部材２３は、床当節部２１ａからの高さＨ（図１２参照）が１００ｍｍ以上（一例で１５０ｍｍ）に設けられている。
【００２５】
支持棚３は、金属又は樹脂製の角筒又は角棒により、図４に示すように、座板１よりやや小さい矩形の外枠３０を有する格子状に形成され、外枠３０の長辺を構成する一対の縦材３１と、縦材３１に直行する複数の横材３２と、縦材３１及び横材３２に囲まれた矩形の透孔３３とを有している。座板１は、図９に示すように、周縁の係止部１２を外枠３０の縦材３１や横材３２の下面に係止し、また座板１下面の嵌合用突起１３を支持棚３の透孔３３に嵌合して支持棚３に固定される。
尚、本実施形態では、支持棚３の周縁の水平方向に延びるコーナー部３０ａは座板１の内部に隠れているが、支持棚３のコーナー部が外部へ露出する場合は、Ｒが３ｍｍ以上に設けられることが好ましい。
【００２６】
次に、浴室用脚付台１００の使用方法、及び各部の作用について説明する。
まず、脚付台１００をサイドスペースＡ６に設置する場合は、高さ調節部材２１を調節して座板１の上面を浴槽Ａ１の框上面の高さに合わせ、座板１の長辺の１つを浴槽Ａ１に接するようにして、脚付台１００をサイドスペースＡ６の床面に載置する。そして浴槽へ入る際の移乗台として脚付台１００を用いる際には、洗い場側から後ろ向きにサイドスペースＡ６に設置した脚付台１００に腰をおろしたのち、浴槽のほうへ体の向きを変えて浴槽へ体を入れる。浴槽から出る場合は、浴槽側方の框越しに後ろ向きに脚付台１００に腰を下ろしたのち、洗い場Ａ２側に体の向きを変えて床面に足をおろして立ち上がる。
この際、支持脚２の床当節部２１ａが、水平投影で座板１の横辺からの距離Ｌ１と縦辺からの距離Ｌ２が共に５０ｍｍ未満となる区画内に設けられているので、座板１の端の方に人が腰をおろしても、脚付台１００が傾きにくい。
【００２７】
また、浴室用支持台１００を洗い場側へ引き出す際には、側壁Ａ３から洗い場側へ突出している湯桶台Ａ４や基台Ａ４１をかわすために、座板１を少し持ち上げるようにして脚付台１００を手前側に引き出しながら、座板１の手前側を浴槽側へ向きを変えて浴槽側の長辺を浴槽の框へ乗り上げさせる。しかる後、脚付台１が側壁Ａ３から徐々に離れるように脚付台１を手前側に引き出す。
【００２８】
この際、回避部２２の鉛直部２２ａは、座板１の短辺から５０ｍｍ以上内側に設けられているので、脚付台１を引き出し始めてから支持脚２が湯桶台Ａ４に干渉するまでの距離が長く、支持脚２が湯桶台に干渉しにくい。
また、支持脚２は、回避部２２の鉛直部２２ａが座板１の長辺から５０ｍｍ以上内側に設けられているので、座板１の浴槽側の端部を浴槽Ａ１の框へ乗せることにより、座板１の前端を浴槽側へ５０ｍｍ以上寄せることができる。従って、座板１は、そのまま真っ直ぐ手前に脚付台１００を引き出しても、側壁Ａ３からの突出高さが５０ｍｍ未満である跳ね上げ姿勢の湯桶台Ａ４をかわすことができる。
【００２９】
また、脚付台１００は、座板１の片側を浴槽Ａ１の框へ乗せると、側壁Ａ３側の脚部２の側壁Ａ３からの距離が１００ｍｍ以上となるため、そのまま真っ直ぐ脚付台１を手前へ引き出しても、側壁Ａ３からの突出高さが１００ｍｍ未満の湯桶台Ａ４の基台Ａ４１をかわすことができる。
【００３０】
さらに、縦貫部材２４は、一対の横貫部材２３の中央部分を連結しているので、脚付台１００をサイドスペースＡ６から引き出す際に、浴槽Ａ１の側壁に干渉しにくく、脚付台１００の向きを浴槽側へ変えやすい。このため、支持脚２は、側壁Ａ３からの突出高さが略３００ｍｍである水平姿勢の湯桶台Ａ３をかわすことができる。
【００３１】
また、浴室用脚付台１００は、洗い場Ａ２へ置いて腰をかけることもでき、この際、座板１の周縁部の厚みＴが２５ｍｍ以上５０ｍｍ以下に設けられているので、座板１の周縁部を掴みやすい。また、座板１の端辺のコーナー部１１ａ、１１ｂのＲ１及びＲ２がともに３ｍｍ以上に形成されているため、安全に座板１の端辺を掴むことができる。
【００３２】
座板１を洗浄する際には、座板１周縁の係止部１２に指をかけ、座板１を引き上げて支持棚３から取り外す。このように、座板１が取外し可能であるため、座板１のみを洗浄、乾燥することができる。また、座板１が酷く傷んでいる場合は、座板１のみを交換することができる。
【００３３】
（第２実施形態）
図１０は、本発明の第２実施形態に係る浴室用脚付台２００を示している。脚付台２００は、座板２０１と、４本の支持脚２０２と、支持棚３とを備えている。尚、第２実施形態において、第１実施形態と共通する部材には同一符号を付して説明を省略する。
【００３４】
座板２０１は、長手方向の両端部に矩形の貫通孔からなる把手２０１ａを備えている。脚付台２００は、把手２０１ａ備えているので、サイドスペースＡ６から手前側に引き出す際に、脚付台２００の手前側を持ち上げやすい。座板２０１は、把手２０１ａを備える以外は、第１実施形態と同様の構成を有している。
【００３５】
支持脚２０２は、直線状をなし、水平投影で座板２０１の短辺からの距離Ｄ１が０ｍｍに、長辺からの距離Ｄ２が５０ｍｍ以上（一例で７０ｍｍ）となるように、外枠３１の横辺３２に設けられ、全長が回避部を構成している。即ち、支持脚２０２の床当接部２１ａも座板２０１の端辺から０ｍｍの距離にあるため、座板１の短辺に人が腰かけても座板が傾くことが無い。また、距離Ｄ２が５０ｍｍ以上に設けられているため、支持脚２００をサイドスペースＡ６から引き出す際に突出物Ａ４に干渉しにくい。
【００３６】
横貫部材２２３は、座板２０１の短辺方向に隣り合う支持脚２０２を連結している。横貫部材２２３は、中央が内側へ湾曲し、水平投影でこの中央部分から座板２０１の短辺までの距離Ｌ３（図１１参照）が１５０ｍｍ以上（一例で１６０ｍｍ）に設けられている。このように、横貫部材２２３の中央部分が座板１の短辺より１５０ｍｍ以上内側に入っているので、人がつま先や踵を横貫部材２２３にぶつけることを抑制できる。
【００３７】
本発明の浴室用脚付台は、上記の実施形態に限られるものではなく、例えば、座板が支持脚に対し取り外し可能でないものも含む。支持棚を設けず、支持脚を座板に直接固定することもできる。支持棚は格子状でなく板状としてもよい。高さ調節部材は省略してもよく、浴室の奥側となる２本の支持脚２にキャスターを設けるようにしてもよい。サイドスペースは、浴室用脚付台を横に２つ以上並べる大きさであってもよく、奥壁に沿って浴槽をスライドさせて、大きさを変更可能であってもよい。回避部は、座板の幅方向に垂直な端辺から内側に入り込んでいればよく、上記の鉛直部を有するものにかぎらず、多様に湾曲、屈曲するようなものを含む。
【符号の説明】
【００３８】
１００，２００  浴室用脚付台
１，２０１  座板
１１  垂下部
１１ａ  コーナー部
１１ｂ  コーナー部
１２  係止部
１３  嵌合用突起
２  支持脚
２１ａ床当接部
２２  回避部
２３  横貫部材
３  支持棚
３０  外枠（支持棚端辺）
３３  透孔
Ａ  浴室
Ａ１  浴槽
Ａ２  洗い場
Ａ３  側壁
Ａ４  湯桶台（突出物）
Ａ４１  基台（突出物）
Ａ６  側壁
【図１】
2016202224.tif 000003
【図２】
2016202224.tif 000004
【図３】
2016202224.tif 000005
【図４】
2016202224.tif 000006
【図５】
2016202224.tif 000007
【図６】
2016202224.tif 000008
【図７】
2016202224.tif 000009
【図８】
2016202224.tif 000010
【図９】
2016202224.tif 000011
【図１０】
2016202224.tif 000012
【図１１】
2016202224.tif 000013
【図１２】
2016202224.tif 000014
【図１３】
2016202224.tif 000015
【図１４】
2016202224.tif 000016